(57)【特許請求の範囲】
【請求項１】
商品販売データを表示するための客用表示器とオペレータ用表示器を有する商品販売データ処理装置において、
前記客用表示器には前記商品販売データの販売対象商品に関する画像を表示し、前記オペレータ表示器には前記客用表示器に表示している画像のダイジェスト画像を表示する画像表示制御装置を具備していることを特徴とする商品販売データ処理装置。
【請求項２】
前記画像表示制御装置は、入力された前記商品販売データをデジタル商品販売データとアナログ商品販売データに分けて出力可能であるとともに、この出力されたデジタル商品販売データをオペレータ用表示器に入力可能かつ出力され、アナログ商品販売データを当該アナログ商品販売データと他のアナログ画像データとを選択的に切換える切換器を介して客用表示器に入力可能に形成されていることを特徴とする請求項１記載の商品販売データ処理装置。
【請求項３】
前記他のアナログ画像データが、ＭＰＥＧ圧縮画像データを解凍しつつ伸長しかつデジタル／アナログ変換用のコンバータを介して変換された伸長アナログ画像データであることを特徴とする請求項１または２記載の商品販売データ処理装置。
【請求項４】
前記ＭＰＥＧ画像処理回路が、前記伸長画像データ記憶手段から読み出される前記アナログ伸長画像データに対応する音声データを音声出力手段に出力可能に形成されていることを特徴とする請求項３記載の商品販売データ処理装置。
【発明の詳細な説明】
【０００１】
【発明の属する技術分野】
本発明は、商品販売データを表示する表示器を有し、商品販売データの他に画像データを選択的に表示可能に形成された商品販売データ処理装置に関する。
【０００２】
【従来の技術】
例えば電子キャッシュレジスタ型の商品販売データ処理装置では、オペレータ（キャッシャー）がデータ入力手段（スキャナ，キーボード等）を用いて商品コードを入力すると、商品ファイルから商品販売データ（商品名，単価等）が求められ売上ファイルに登録（商品登録）される。当該客の購入品の全てについて商品登録した後に、１取引終了宣言としての締め操作をすると、商品販売データ（合計金額や釣銭額）の算出等を含む会計処理が実行される。その後に、ドロワが自動解放され金銭授受が行なわれ、釣銭がレシートとともに客に手渡される。かくして、複雑な商品販売業務を迅速かつ正確に行なえる。
【０００３】
かかる商品登録，会計処理中に商品販売データを表示器に表示して、オペレータおよび客の双方が目視確認可能である。表示器には、オペレータと客が共通の１台から構成される場合と、オペレータ用表示器と客用表示器との２台から構成される場合がある。いずれの場合でも、商品販売データは、文字情報として表示される。
【０００４】
【発明が解決しようとする課題】
ところで、オペレータ用表示器には上記商品販売データの他に客用表示器には表示されない事項（例えば、操作ガイダンス等）を含む多くのデータが表示されかつオペレータが連続的して目視乃至黙読することから、文字情報を鮮明に表示する必要がある。このために一般的にＣＲＴが利用されていたが、今般では技術進歩により液晶表示器をその性能において遜色なくなって来た。
【０００５】
客用表示器には、商品販売データのうち、購入した商品，その単価，合計金額等で客がその場で確認したい比較的に少ない事項が表示される。しかも、各客の目視乃至黙読時間はせいぜい３０秒〜１分の短時間であるので、表示性能はオペレータ用表示器の場合よりも低くてもよくかつ低価格でもある。
【０００６】
すなわち、オペレータ用表示器および客用表示器は、表示方式をオペレータ用表示器側の利用性から選択された例えばデジタル表示型とされ、オペレータ用表示器の性能や大きさを客用表示器よりも高く・大きくしている。つまり、文字情報の鮮明（高解像度）表示の点から採択されている。
【０００７】
一方において、消費者に対するアピールの仕方次第でモノ（商品）の売行きが大きく左右される今日では、新聞折込広告等により不特定多数の一般消費者に販売対象商品をアピールする在来手法では、新規性が劣りかつ効果が低いとの指摘がある。また、テレビコマーシャルの場合は、アピール度が強く商品購入意欲を惹起せしめる効果が高いが、高価でありかつ放映時間の延長化は難しい。そこで、商品販売データ処理装置では、表示器の画面周辺部に文字情報やモノクロ静止画像を含む商品のコマーシャルを表示させることが試みられているが、見難くアピール度が低い。
【０００８】
しかも、画像を表示させると、商品販売データ処理用の処理速度が低下する。これを回避するには、商品販売データ処理用の制御部を大容量化および処理高速化をしなければならない。つまり、コスト高および大型化を招く。
【０００９】
かくして、処理速度やコスト条件を満たしつつ表示器の表示態様の拡大できかつ客に鮮烈な販売対象商品のアピールを行なえる表示方式が模索されている。さらに、客に強烈なアピールを行なえかつオペレータ側から客にアピール中の商品の認識はもとより当該アピール商品についての積極的な説明や呼びかけができる表示方式の開発が強く求められている。
【００１０】
本発明の第１の目的は、商品販売データの鮮明表示を保障しつつ販売対象商品に関する客へのアピール度を強化でき得るとともに、表示に関する機能拡大性および利用性・適応性の広い商品販売データ処理装置を提供することにある。また、第２の目的は、画像表示に関する商品販売データ処理用制御部の負荷の軽減と低容量化を図れる商品販売データ処理装置を提供する。
【００１１】
【課題を解決するための手段】
請求項１の発明は、商品販売データを表示するための客用表示器とオペレータ用表示器を有する商品販売データ処理装置において、前記客用表示器には前記商品販売データの販売対象商品に関する画像を表示し、前記オペレータ表示器には前記客用表示器に表示している画像のダイジェスト画像を表示する画像表示制御装置を具備していることを特徴とする商品販売データ処理装置である。
【００１２】
この発明によれば、画像表示制御装置により、客用表示器に販売対象商品に関する画像を切換表示させ、オペレータ用表示器には、そのダイジェスト（静止画像）を同期切換表示させることができる。
【００１３】
したがって、例えば、販売対象商品に関する複数の画像を動画像として客用表示器に表示できる。つまり、買物実績のある客に各商品コマーシャル等を客用表示器を介して対面表示できるから、当該客へのアピール度を大幅に強化できかつ当該商品の購入意欲を一段と惹起せしめることができる。
【００１４】
しかも、オペレータ用表示器に、客用表示器に表示されている各動画像に対応する当該各静止画像（例えば、当該各動画像内に含まれる部分画像と等しくかつ縮小されたダイジェスト）を同期切換表示できる。したがって、オペレータは、客が現時点に見ている画像つまり販売対象商品に関するアピール内容を確実に認識することができるから、オペレータ側から当該客に当該商品について積極的に説明したり、客からの問いに迅速かつ正確に応答することができるとともに、オペレータ用表示器にはダイジェストが表示されるので、商品販売データの表示やその確認作業にも支障が生じない。
【００１５】
すなわち、商品販売データの鮮明表示を保障しつつ販売対象商品に関する客へのアピール度を強化でき得るとともに、機能拡大性および利用性・適応性が極めて広く、表示システム全体してのコストも低減できる。しかも、客用表示器にカラー動画像等を能率的に表示可能である。外部から最新でタイムリーなコマーシャル等を迅速に受信できかつ画像処理が容易である。
【００１６】
請求項２の発明は、前記画像表示制御装置は、入力された前記商品販売データをデジタル商品販売データとアナログ商品販売データに分けて出力可能であるとともに、この出力されたデジタル商品販売データをオペレータ用表示器に入力可能かつ出力され、アナログ商品販売データを当該アナログ商品販売データと他のアナログ画像データとを選択的に切換える切換器を介して客用表示器に入力可能に形成されていることを特徴とする請求項１記載の商品販売データ処理装置である。
【００１７】
かかる発明では、入力された商品販売データは、デジタル商品販売データとアナログ商品販売データとに分けて出力され、かつ出力されたデジタル商品販売データはオペレータ用表示器に入力されてデジタル表示される。したがって、商品販売データが多くてもかつ密であったとしても、鮮明（高解像度）にデジタル表示できる。
【００１８】
また、出力されたアナログ商品販売データは、切換器を介して客用表示器に入力され、アナログ表示される。商品販売データが比較的に少なくかつ疎であるから、アナログ表示でも客は確実に目視乃至黙読できる。また、商品販売データの入力前後には、切換器を働かせてアナログ商品販売データに代えた他のアナログ画像データとを選択的に切換え、当該アナログ画像データを客用表示器にアナログ表示させることができる。
【００１９】
したがって、例えば、販売対象商品に関する複数の画像（例えば、商品Ａ，Ｂ，Ｃに関するアピールカラー画像）を動画像として、客用表示器に表示でき得る。つまり、買物実績のある客に各商品コマーシャル等を客用表示器を介して対面表示できるから、当該客へのアピール度を大幅に強化できかつ当該商品の購入意欲を一段と惹起せしめることができる。
【００２０】
すなわち、商品販売データの鮮明表示を保障しつつ販売対象商品に関する客へのアピール度を強化でき得るとともに、表示に関する機能拡大性および利用性・適応性が極めて広く、表示システム全体してのコストも低減できる。
【００２１】
また、請求項３の発明は、前記他のアナログ画像データが、ＭＰＥＧ圧縮画像データを解凍しつつ伸長しかつデジタル／アナログ変換用のコンバータを介して変換された伸長アナログ画像データとされている商品販売データ処理装置である。
【００２２】
かかる発明では、切換器を介して客用表示器に入力される他のアナログ画像データは、ＭＰＥＧ圧縮画像データを解凍しつつ伸長しかつデジタル／アナログ変換用のコンバータを介して変換された伸長アナログ画像データであるから、客用表示器にカラー動画像等を能率的に表示可能である。したがって、請求項１の発明の場合と同様な作用効果を奏することができることに加え、さらに例えば外部から最新でタイムリーなコマーシャル等を迅速に受信できかつ画像処理が容易である。
【００２３】
しかも、オペレータ用表示器がデジタル表示型とされかつ表示対象データがＭＰＥＧ圧縮画像データつまりデジタルであるから、客用表示器に表示されている各動画像に対応する当該各静止画像（例えば、当該動画像内に含まれる部分画像を縮小したダイジェスト）をオペレータ用表示器に同期切換表示でき得る。したがって、オペレータは、客が現時点に見ている画像つまり販売対象商品に関するアピール内容を確実に認識することができるから、オペレータ側から当該客に当該商品について積極的に説明したり、客からの問いに迅速かつ正確に応答することができるとともに、オペレータ用表示器にはダイジェストが表示されるので、商品販売データの表示やその確認作業にも支障が生じない。
【００２４】
さらに、請求項４の発明は、前記ＭＰＥＧ画像処理回路が、前記伸長画像データ記憶手段から読み出される前記アナログ伸長画像データに対応する音声データを音声出力手段に出力可能に形成されている商品販売データ処理装置である。
【００２５】
かかる発明では、音声出力手段は、客用表示器に表示されているアナログ伸長画像に対応する音声データを音声出力する。したがって、請求項３の発明の場合と同様な作用効果を奏することができることに加え、さらに客用表示器にテレビコマーシャルの場合と同様な音声同期映像を流せるので、販売対象商品のアピール度をより大幅に向上できる。
【００２６】
【発明の実施の形態】
以下、本発明の実施形態について図面を参照して説明する。
【００２７】
（第１の実施形態）
本商品販売データ処理装置は、図１に示す如く、基本的構成が電子キャッシュレジスタ１０から構成され、さらに液晶表示方式の表示器６０をデジタル表示型のオペレータ用表示器６１とアナログ表示型の客用表示器６５とから形成し、入力された商品販売データをデジタル商品販売データＳｄとアナログ商品販売データＳａとに分けて出力可能な２出力制御回路（５２）と、入力されたＭＰＥＧ圧縮画像データを記憶する圧縮画像データ記憶手段（５７）と、この圧縮画像データ記憶手段（５７）からＭＰＥＧ圧縮画像データを読み出して解凍しつつ伸長するＭＰＥＧ画像処理回路５６と、伸長された伸長画像データを記憶する伸長画像データ記憶手段（５８）と、ＭＰＥＧ画像処理回路５６によって伸長画像データ記憶手段（５８）から読み出された伸長画像データをデジタル／アナログ変換しつつアナログ伸長画像データＳａｐを出力するコンバータ５９と、このコンバータ５９から出力されたアナログ伸長画像データＳａｐと該２出力制御回路（５２）から出力されたアナログ商品販売データＳａとを外部信号（Ｓｃ）を利用して選択的に切換えて出力可能な切換器６７とを設け、２出力制御回路（５２）に入力された商品販売データをオペレータ用表示器６１にデジタル表示可能かつ２出力制御回路（５２）に入力された商品販売データおよび伸長画像データ記憶手段（５８）に記憶されている伸長画像データを選択的に切換えて客用表示器６５にアナログ表示可能に形成されている。
【００２８】
図１において、電子キャッシュレジスタ１０は、標準入力装置（キーボード４３）を含むパソコン２０に、外部入出力装置を接続してなる。外観を図５および図６に示す。
【００２９】
パソコン２０は、ＣＰＵ３１，ＲＯＭ３２，ＲＡＭ３３および時計回路等（図示省略）を含み制御部を構成するマザーボード３０に、ＨＤＤ（ハードディスク装置）４１，ＦＤＤ（フロッピーディスク装置）４２，上記キーボード４３，入出力ポート（Ｉ／Ｏ）４６・４７および外部（例えば、ストアコントローラ８０や、これの上位機たる本部ホストコンピュータ）とデータ通信回線網４５を介してデータ通信するための通信用インターフェイス（Ｉ／Ｆ）４４等を接続してなる。
【００３０】
入出力ポート４６にはスキャナ（ＳＣＮ）７１およびその他の入力装置（カードリーダー等）７３が接続され、入出力ポート４７にはプリンタ（ＰＮＴ）７５およびその他の出力装置（自動開放型のドロワ，カードライター等）７６が接続されている。また、制御部（３０）には、各コントローラ（ＣＯＮＴ）を介して音声出力手段（スピーカー）７０，タッチパネル６２および６６が接続されている。
【００３１】
画像表示制御装置５０は、液晶表示方式の表示器６０を構成するオペレータ用表示器（ＦＩＵ）６１および客用表示器（ＢＩＵ）６５に商品販売データや画像データ（ＭＰＥＧ圧縮画像データ）を表示切換制御する。また、オペレータ用表示器６１にタッチパネル６２が取り付けられ、客用表示器６５にタッチパネル６６が取り付けられている。
【００３２】
タッチパネル６２および６６は、各表示器６１，６５に例えば複数の商品選択ボタン（図１０の６５ＢＢ）を表示させ、表示された商品選択ボタンをオペレータや客がタッチ操作することにより、商品の選択入力等を可能とするために設けられている。
【００３３】
ＨＤＤ４１には、外部（８０）から受信した動画像データ（ＭＰＥＧ圧縮画像データ）を記憶させるための図２に示す記憶エリア４１ＧＦおよび静止画像（ＭＰＥＧ圧縮画像データ）を記憶させるための記憶エリア４１ＧＢを有する画像データファイル４１Ｇと、図３に示す切換動作手順データ（シーケンス）を記憶するためのシーケンスファイル４１Ｓとが形成されている。
【００３４】
すなわち、シーケンスファイル４１Ｓには、図３に示す動画像データ番号（例えば、Ｄｍ００１，Ｄｍ００２，…）および静止画像データ番号（例えば、Ｄｓ００１１，Ｄｓ００１２，Ｄｓ００２，…）が順番に記憶される。
【００３５】
この動画像データ番号に対応する動画像データが、図２に示す記憶エリア４１ＧＢに記憶され、静止画像データ番号に対応する静止画像データが記憶エリア４１ＧＦに記憶される。これらの各画像データは、販売対象商品に関するコマーシャル（１），（２）とされている（図７のＳＴ１３，ＳＴ１６，ＳＴ１９）。
【００３６】
静止画像データは、例えば動画像データ番号“Ｄｍ００１”の動画像データ中に含まれる画像の中の予め選択された１または２以上の部分画像（例えば、動画像データ番号“Ｄｍ００１”の動画像データ中の静止画像でかつ静止画像データ番号“Ｄｓ００１１”，“Ｄｓ００１２”が付された静止画像データ）であり、動画像の切換表示進行に伴い同期切換表示可能である。
【００３７】
いずれの画像データ（ＭＰＥＧ圧縮画像データ）の場合も、図１のインターフェイス（Ｉ／Ｆ）４４，データ通信回線網４５を介して外部（ストアコントローラ８０）から送信されて来たものを、画像データ記憶制御手段（ＣＰＵ３１，ＲＯＭ３２）が、画像データファイル４１Ｇの図２に示す客用表示器６５用の記憶エリア４１ＧＢおよびオペレータ用表示器６１用の記憶エリア４１ＧＦにそれぞれ自動記憶する。
【００３８】
なお、動画像データには、装置本体が商品販売データ中である場合に切換表示させる画像（例えば、“会計中の客に対するアピール度を高められる詳細な画像”）と，待機中の場合に表示する画像（例えば、“店内を闊歩する複数客にアピールし得る大きな画像”）との異なるものを含まれる。
【００３９】
これら画像データを各表示器６１，６５に表示させる画像表示制御装置５０は、この実施形態では、商品販売データ処理用制御部の低容量化および通常の商品販売データ処理中におけるＣＰＵ３１の表示制御負荷を軽減可能に形成されている。つまり、動画像データおよび静止画像データを、画像表示制御装置５０（５３，５７）内に記憶保持させかつ制御部（３１，３２等）とは切離して切換表示動作可能に形成してある。
【００４０】
すなわち、画像表示制御装置５０は、図４に示す如く、第１の表示制御回路５１と第２の表示制御回路５５と切換器６７とダイジェスト作成器６８と画像合成器６９とから構成されている。
【００４１】
商品販売データ表示制御回路を形成する第１の表示制御回路５１は、ＰＣＩバスを介して転送されて来た商品販売データをメモリ５３に記憶する。また、２出力制御回路を形成するＶＧＡ回路５２は、メモリ５３から読み出した商品販売データをデジタル商品販売データＳｄおよびアナログ商品販売データＳａとして、２出力可能に形成されている。
【００４２】
デジタル商品販売データＳｄをオペレータ用表示器６１に出力させる意味は、図９に示す如く文字情報が多い商品販売データ（例えば、商品名，単価，個数，合計金額等）やその他の文字情報（例えば、客用表示器６５には表示させない“操作ガイダンス”等。）を高解像度（高分解能）でより鮮明に表示させることにより、オペレータの黙読および操作を容易化するためである。
【００４３】
他方、アナログ商品販売データＳａを客用表示器６５に出力させる意味は、動画像データ（伸長画像データＳｄｍ）を変換したアナログの動画像データ（アナログ伸長画像データＳａｐ）と，アナログ商品販売データ（Ｓａ）やその他の文字情報と、の併表示を容易化するためである。なお、上記の商品選択ボタン（６５ＢＢ）やその他の情報（“操作ガイダンス”）は、商品販売データと同様に取り扱われる。つまり、第１の表示制御回路５１で表示制御される。
【００４４】
また、第２の表示制御回路５５は、ＩＳＡバスを介して転送されて来た画像データ（ＭＰＥＧ圧縮画像データ）をメモリ（圧縮画像データ記憶手段）５７に記憶する。この画像データは、圧縮されたＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）方式で、カラー動画像蓄積用符号化データとオーディオ（音）符号化データを含む。
【００４５】
ＭＰＥＧ画像処理回路５６は、メモリ（圧縮画像データ記憶手段）５７から読み出したＭＰＥＧ圧縮画像データ（カラー動画像データ）を解凍しつつ伸長してメモリ（伸長画像データ記憶手段）５８に格納するとともに、シーケンスファイル４１Ｓに記憶された手順にしたがって伸長画像データＳｄｍをデジタル／アナログ変換器（Ｄ／Ａ）つまりコンバータ５９に出力する。また、メモリ（圧縮画像データ記憶手段）５７から読み出したＭＰＥＧ圧縮画像データ（カラー静止画像データ）を解凍しつつ伸長してメモリ（伸長画像データ記憶手段）５８に格納するとともに、シーケンスファイル４１Ｓに記憶された手順にしたがってデジタルの静止画像データＳｄｓをダイジェスト作成器６８に出力する。
【００４６】
切換器６７は、切換信号（外部信号）Ｓｃによって、変換後のアナログ伸長画像データＳａｐ（動画像データ）のみ、第１の表示制御回路５１からのアナログ商品販売データＳａ（商品販売データ）のみ、および両者Ｓａｐ，Ｓａの３通りを選択的に切換て客用表示器６５に出力することができる。
【００４７】
ダイジェスト作成器６８は、予め選択された１または２以上の静止画像データＳｄｓでかつＭＰＥＧ画像処理回路５６側から入力された元静止画像を縮小した静止画像（Ｓｄｓ）つまりダイジェストを作成する。
【００４８】
画像合成器６９は、ＶＧＡ回路（２出力制御回路）５２側から入力されたデジタル商品販売データ（Ｓｄ）と，ダイジェスト作成器６８側から入力された静止画像データ（Ｓｄｓ）とを合成する。例えば図９に示す如く、オペレータ用表示器６１の表示領域６１Ａ１，６１Ａ２に商品販売データ等を表示させ、かつ表示領域６１Ａ３にダイジェストを表示可能に画像合成する。
【００４９】
この際の客用表示器６５に表示される画像は、例えば図８に示す如く、表示領域６５Ａ１の動画像（アナログ伸長動画像）および表示領域６５Ａ２のアナログ商品販売データである。表示領域６５Ａ１に表示される動画像Ｇ１，Ｇ２は、例えばテレビコマーシャルと同じ“女優が商品を利用している一連動作画像”（Ｇ１）と，例えば“当該商品の製造工程を紹介する一連動作画像”（Ｇ２）とである。動画像に同期して、音声出力手段７０から音声信号Ｓｖに基づく音声が出力される。
【００５０】
また、この実施形態では、当該商品の“見出し文字情報”（Ｃ１）および当該商品の“効能書き”（Ｃ２）も文字切換表示可能に形成されている。
【００５１】
この各画像Ｇ１，Ｇ２，Ｃ１およびＣ２のダイジェストを、図９に示すオペレータ用表示器６１の表示領域６１Ａ３に同期切換表示させるわけである。したがって、オペレータは、客用表示器６５で現在流されている販売対象商品が何であるか等を明確に認識できるから、客に当該商品を積極的に勧めることができ、また客からの問合せにも迅速に応えられる。
【００５２】
画像切換表示制御手段（ＣＰＵ３１，ＲＯＭ３２）は、モードスイッチを用いて選択された商品販売データ処理（商品登録，会計処理等）の実行中（図７のＳＴ１０でＹＥＳ）は、シーケンスファイル４１Ｓから切換表示手順データを読込み（ＳＴ１１）、画像表示制御装置５０を構成する第１の表示制御回路５１（メモリ５３）および第２の表示制御回路５５（メモリ５７）に書き込む。この際の画像データは、キーボード４３を用いた表示設定態様によって異なる。
【００５３】
すなわち、併表示が選択されている場合（ＳＴ１２のＹＥＳ）はコマーシャル（１）および商品販売データであり、画像のみの表示が選択されている場合（ＳＴ１５のＹＥＳ）はコマーシャル（１）で、商品販売データのみの表示が選択されている場合（ＳＴ１５のＮＯ）は商品販売データのみである。
【００５４】
いずれの場合でも、オペレータ用表示器６１にダイジェストを同期切換表示すべき指令を記憶する（ＳＴ２０）。この書き込み終了で、制御部（３０）は画像データについての各表示器６１，６５に対する表示制御負荷は解放され、商品販売データ処理に専念できる。
【００５５】
なお、処理中でないつまり待機中（ＳＴ１０のＮＯ）は、コマーシャル（２）である（ＳＴ１８，ＳＴ１９）。
【００５６】
かかる第１の実施形態では、画像表示制御装置５０は、客用表示器６５に動画像を切換表示させ、オペレータ用表示器６１にダイジェスト（静止画像）を同期切換表示させる。
【００５７】
すなわち、２出力制御回路（５２）は、入力された商品販売データをデジタル商品販売データＳｄとアナログ商品販売データＳａとに分けて出力する。また、入力されたＭＰＥＧ圧縮画像データは、圧縮画像データ記憶手段（メモリ５７）に記憶される。しかる後に、ＭＰＥＧ画像処理回路５６が、圧縮画像データ記憶手段（５７）から読み出したＭＰＥＧ圧縮画像データを解凍しつつ伸長する。そして、伸長された伸長画像データは、伸長画像データ記憶手段（メモリ５８）に記憶される。
【００５８】
かくして、ＭＰＥＧ画像処理回路５６は、商品販売データ処理用の制御部（ＣＰＵ３１，ＲＯＭ３２等）と縁を切った状態で、伸長画像データ記憶手段（メモリ５８）から読み出した伸長画像データを所定の切換表示手順にしたがってコンバータ５９に出力する。このコンバータ５９は、デジタル／アナログ変換しつつアナログ伸長画像データＳａｐを客用表示器６５に出力する。
【００５９】
すなわち、外部信号（切換信号Ｓｃ）を利用して切換器６７を切換動作させれば、コンバータ５９側から出力されたアナログ伸長画像データＳａｐと該２出力制御回路（５２）側から出力されたアナログ商品販売データＳａとを選択的に切換えて客用表示器６５に入力することができる。つまり、入力された商品販売データをオペレータ用表示器６１にデジタル表示可能かつ入力された商品販売データおよびＭＰＥＧ画像データを選択的に切換えて客用表示器６５にアナログ表示することができる。
【００６０】
したがって、例えば、販売対象商品に関する複数の画像（例えば、商品Ａ，Ｂ，Ｃに関するアピールカラー画像）を動画像として客用表示器６５に表示できる。つまり、買物実績のある客に各商品コマーシャル等を客用表示器６５を介して対面表示できるから、当該客へのアピール度を大幅に強化できかつ当該商品の購入意欲を一段と惹起せしめることができる。
【００６１】
しかも、オペレータ用表示器６１に、客用表示器６５に表示されている各動画像に対応する当該各静止画像（例えば、当該各動画像内に含まれる部分画像と等しくかつ縮小されたダイジェスト）を同期切換表示できる。したがって、オペレータは、客が現時点に見ている画像つまり販売対象商品に関するアピール内容を確実に認識することができるから、オペレータ側から当該客に当該商品について積極的に説明したり、客からの問いに迅速かつ正確に応答することができるとともに、オペレータ用表示器にはダイジェストが表示されるので、商品販売データの表示やその確認作業にも支障が生じない。
【００６２】
すなわち、商品販売データの鮮明表示を保障しつつ販売対象商品に関する客へのアピール度を強化でき得るとともに、機能拡大性および利用性・適応性が極めて広く、表示システム全体してのコストも低減できる。しかも、客用表示器６５にカラー動画像等を能率的に表示可能である。外部（８０）から最新でタイムリーなコマーシャル等を迅速に受信できかつ画像処理が容易である。さらにまた、ＭＰＥＧ画像処理回路５６が入力されたＭＰＥＧ圧縮画像データを記憶・解凍伸長・出力可能であるから、商品販売データ用の制御部（３１，３２）の低容量化および表示制御負荷を大幅に軽減することができる。
【００６３】
さらに、この実施形態では、客用表示器６５に動画像なる商品コマーシャル（１）と商品販売データとを切換表示しかつオペレータ用表示器６１に商品販売データおよび静止画像たるダイジェストを同期切換表示可能で、コンバータ５９から変換出力されたアナログ伸長画像データＳａｐは、切換器６７を介して客用表示器６５に出力され、図８に示す如くカラー動画像“Ｇ１，Ｇ２，Ｃ１，Ｃ２”つまり商品コマーシャル（１）を当該客用表示器６５に切換表示することができる。この際、音声出力手段７０から動画像に同期した音声（音楽，ナレータ等）が出力される。したがって、テレビコマーシャルの如く客に強烈に商品アピールできる。表示時間も長い。
【００６４】
一方、ダイジェスト作成器６８は、入力されたデジタル静止画像データＳｄｓを縮小したダイジェスト（静止画像）を作成して、画像合成器６９に出力する。かくして、オペレータ用表示器６１の図９に示す表示領域６１Ａ３にコマーシャル（１）すなわち、図８の動画像（Ｇ１，Ｇ２，Ｃ１，Ｃ２）に対応する静止画像（Ｇ１ｄ，Ｇ２ｄ，Ｃ１ｄ，Ｃ２ｄ）を同期切換表示させることができる。
【００６５】
また、オペレータ用表示器６１の図９に示す表示領域６１Ａ１には商品販売データ（商品名，単価，金額，税）が表示され、かつ表示領域６１Ａ２には商品販売データ（合計，お預り，お釣り）が表示される。
【００６６】
なお、６１Ｓは、商品販売データ（商品名，単価，金額，税）のスクロール用スイッチである。登録商品数が多くてもその全商品について表示確認することができる。
【００６７】
したがって、買物実績のある客（客用表示器６５を覗く客）に各商品コマーシャル（１）を客用表示器６５を介して対面表示できるのでアピール度を大幅に強化でき、商品購入意欲を惹起せしめることができる。また、オペレータ用表示器６１には、客用表示器６５に表示されている各動画像中の選択された部分画像と等しくかつ縮小されたダイジェスト（静止画像）が同期切換表示されるので、オペレータは客が現時点に見ている画像つまり販売対象商品に関するアピール内容を確実に認識できる。したがって、オペレータ側から当該客に積極的に説明したり、客からの問いに迅速かつ正確に応答することができる。すなわち、販売対象商品に関する客へのアピール度を強化できかつオペレータがそれを正確に認識することができる。
【００６８】
また、その他の画像表示が選択されている場合には、図１０に示す如く、商品（例えば、テレホンカード）を選択するための複数の商品選択ボタン６５ＢＢを商品販売データの場合と同様に切換表示させることができる。この実施形態では、商品販売データの１種類として取扱い、第１の表示制御回路５１からアナログ信号（Ｓａ）として入力される。
【００６９】
商品販売データ処理が行なわれない待機中は、客用表示器６５に図１１に示すように画面一杯のコマーシャル（２）が大きく表示される。
【００７０】
（第２の実施形態）
この第２の実施形態は、基本的構成・機能が第１の実施形態の場合（図１〜図３，図５〜図７）と同様であるが、画像表示制御装置５０の図１２に示す第２の表示制御回路５５Ａに画像縮小化回路６８Ａを設け、客用表示器６５に表示される各画像が元画像（大きい画像）と当該元画像のダイジェスト（小さい画像）とを選択的に切換表示可能に形成されている。
【００７１】
すなわち、客用表示器６５に表示される動画像を、縮小率切換信号Ｓｇｃによって、大きな元画像と小さなダイジェストとに選択的に切換表示させることができる。したがって、第１の実施形態の場合と同様な作用効果を奏することができることに加え、さらに客用表示器６５に例えば販売対象商品に関する小さな動画像と大きな商品販売データや複数の商品選択ボタン等を同一画面上に併表示できるから、客への商品アピールを続行しつつ客に景品（例えば、テレホンカード）の選択をしてもらう等のシステム構築ができ、利用性を一段と高められる。
【００７２】
（第３の実施形態）
この第３の実施形態は、基本的構成・機能が第１の実施形態の場合（図１〜図３，図５〜図７）と同様であるが、画像表示制御装置５０の図１３に示す第２の表示制御回路５５Ｂに画像比率変更回路６７Ａを接続し、客用表示器６５に表示する動画像の表示領域の大きさと商品販売データの表示領域の大きさとが、当該客用表示器６５の全表示領域内において選択的に大小逆転切換表示可能に形成されている。
【００７３】
すなわち、画像比率変更回路６７Ａにキーボード４３を用いて画像比率信号Ｓｒを設定入力することにより、例えば図８に示す画像表示用の表示領域６５Ａ１の大きさと商品販売データ表示用の表示領域６５Ａ２の大きさとを、設定比率で大小逆転切換可能である。
【００７４】
詳しくは、図１４に示す如く、コマーシャル（１）の拡大表示が選択されている場合（ＳＴ３２のＮＯ）には、客用表示器６５にコマーシャル（１）を拡大表示（ＳＴ３３）し商品販売データを縮小表示（ＳＴ３４）する。商品販売データの拡大表示が選択されている場合（ＳＴ３２のＹＥＳ）には商品販売データを拡大表示しコマーシャル（１）を縮小表示する（ＳＴ３５，ＳＴ３６）。
【００７５】
なお、ＳＴ３０，ＳＴ３１，ＳＴ３７，ＳＴ３８，ＳＴ３９は、第１の実施形態の場合（図７のＳＴ１０，ＳＴ１１，ＳＴ１８，ＳＴ１９，ＳＴ２０）と同じである。
【００７６】
また、設定比率の変更によって、図１０に示す如く商品販売データ（商品選択ボタン６５ＢＢ）を非常に大きく（動画像を非表示）にしたり、図１１に示す如く動画像のみを表示領域６５Ａに全面的に表示（商品販売データを非表示）することができる。
【００７７】
かくして、販売対象商品の動画像や静止画像の表示領域と商品販売データの表示領域との大小を選択的に逆転できるから、第１の実施形態の場合と同様な作用効果を奏することができることに加え、さらに待機中（客待ち時間中）は動画等を画面一杯に表示し、会計時に商品販売データを大きく表示させられるから、客に対する便宜を向上できる。したがって、表示に関する機能拡大性および利用性・適応性を一段と拡大できる。
【００７８】
なお、以上の第１〜第３の実施形態では、客用表示器６５に動画像を切換表示しオペレータ用表示器６１に当該ダイジェスト（静止画像）を同期切換表示させる場合について説明したが、客用表示器６５に動画像を切換表示しオペレータ用表示器６１にも当該ダイジェスト（動画像）を同期切換表示させたり、客用表示器６５に静止画像を切換表示しオペレータ用表示器６１に当該ダイジェスト（静止画像）を同期切換表示させるように構築してもよい。
【００７９】
ただし、第１〜第３の実施形態の場合のように、客用表示器６５に動画像かつオペレータ用表示器６１に当該ダイジェスト（静止画像）として表示させるのが、客への商品アピール度が一番高くかつオペレータの認識がし易いとともに、制御部（３０）および画像表示制御回路５０の負担が小さい。
【００８０】
【発明の効果】
請求項１の発明によれば、画像表示制御装置により、客用表示器に販売対象商品に関する画像を切換表示させ、オペレータ用表示器には、そのダイジェスト（静止画像）を同期切換表示させることができる。
【００８１】
したがって、例えば、販売対象商品に関する複数の画像を動画像として客用表示器に表示できる。つまり、買物実績のある客に各商品コマーシャル等を客用表示器を介して対面表示できるから、当該客へのアピール度を大幅に強化できかつ当該商品の購入意欲を一段と惹起せしめることができる。
【００８２】
しかも、オペレータ用表示器に、客用表示器に表示されている各動画像に対応する当該各静止画像（例えば、当該各動画像内に含まれる部分画像と等しくかつ縮小されたダイジェスト）を同期切換表示できる。したがって、オペレータは、客が現時点に見ている画像つまり販売対象商品に関するアピール内容を確実に認識することができるから、オペレータ側から当該客に当該商品について積極的に説明したり、客からの問いに迅速かつ正確に応答することができるとともに、オペレータ用表示器にはダイジェストが表示されるので、商品販売データの表示やその確認作業にも支障が生じない。
【００８３】
すなわち、商品販売データの鮮明表示を保障しつつ販売対象商品に関する客へのアピール度を強化でき得るとともに、機能拡大性および利用性・適応性が極めて広く、表示システム全体してのコストも低減できる。しかも、客用表示器にカラー動画像等を能率的に表示可能である。外部から最新でタイムリーなコマーシャル等を迅速に受信できかつ画像処理が容易である。
【００８４】
請求項２の発明によれば、入力された商品販売データは、デジタル商品販売データとアナログ商品販売データとに分けて出力され、かつ出力されたデジタル商品販売データはオペレータ用表示器に入力されてデジタル表示される。したがって、商品販売データが多くてもかつ密であったとしても、鮮明（高解像度）にデジタル表示できる。
【００８５】
また、出力されたアナログ商品販売データは、切換器を介して客用表示器に入力され、アナログ表示される。商品販売データが比較的に少なくかつ疎であるから、アナログ表示でも客は確実に目視乃至黙読できる。また、商品販売データの入力前後には、切換器を働かせてアナログ商品販売データに代えた他のアナログ画像データとを選択的に切換え、当該アナログ画像データを客用表示器にアナログ表示させることができる。
【００８６】
したがって、例えば、販売対象商品に関する複数の画像（例えば、商品Ａ，Ｂ，Ｃに関するアピールカラー画像）を動画像として、客用表示器に表示でき得る。つまり、買物実績のある客に各商品コマーシャル等を客用表示器を介して対面表示できるから、当該客へのアピール度を大幅に強化できかつ当該商品の購入意欲を一段と惹起せしめることができる。
【００８７】
すなわち、商品販売データの鮮明表示を保障しつつ販売対象商品に関する客へのアピール度を強化でき得るとともに、表示に関する機能拡大性および利用性・適応性が極めて広く、表示システム全体してのコストも低減できる。
【００８８】
また、請求項３の発明によれば、切換器を介して客用表示器に入力される他のアナログ画像データは、ＭＰＥＧ圧縮画像データを解凍しつつ伸長しかつデジタル／アナログ変換用のコンバータを介して変換された伸長アナログ画像データであるから、客用表示器にカラー動画像等を能率的に表示可能である。したがって、請求項１の発明の場合と同様な作用効果を奏することができることに加え、さらに例えば外部から最新でタイムリーなコマーシャル等を迅速に受信できかつ画像処理が容易である。
【００８９】
しかも、オペレータ用表示器がデジタル表示型とされかつ表示対象データがＭＰＥＧ圧縮画像データつまりデジタルであるから、客用表示器に表示されている各動画像に対応する当該各静止画像（例えば、当該動画像内に含まれる部分画像を縮小したダイジェスト）をオペレータ用表示器に同期切換表示でき得る。したがって、オペレータは、客が現時点に見ている画像つまり販売対象商品に関するアピール内容を確実に認識することができるから、オペレータ側から当該客に当該商品について積極的に説明したり、客からの問いに迅速かつ正確に応答することができるとともに、オペレータ用表示器にはダイジェストが表示されるので、商品販売データの表示やその確認作業にも支障が生じない。
【００９０】
さらに、請求項４によれば、音声出力手段は、客用表示器に表示されているアナログ伸長画像に対応する音声データを音声出力する。したがって、請求項３の発明の場合と同様な作用効果を奏することができることに加え、さらに客用表示器にテレビコマーシャルの場合と同様な音声同期映像を流せるので、販売対象商品のアピール度をより大幅に向上できる。
【図面の簡単な説明】
【図１】  本発明の第１の実施形態を示すブロック図である。
【図２】  同じく、画像データファイルを説明するための図である。
【図３】  同じく、シーケンスファイルを説明するための図である。
【図４】  同じく、画像表示制御装置を説明するための回路図である。
【図５】  同じく、オペレータ用表示器側から見た電子キャッシュレジスタの外観斜視図である。
【図６】  同じく、客用表示器側から見た電子キャッシュレジスタの外観斜視図である。
【図７】  同じく、切換表示動作を説明するためのフローチャートである。
【図８】  同じく、客用表示器の表示態様（１）を説明するための図である。
【図９】  同じく、オペレータ用表示器の表示態様（１）を説明するための図である。
【図１０】  同じく、客用表示器の表示態様（２）を説明するための図である。
【図１１】  同じく、客用表示器の表示態様（３）を説明するための図である。
【図１２】  本発明の第２の実施形態に係る画像表示制御装置を説明するための回路図である。
【図１３】  本発明の第３の実施形態に係る画像表示制御装置を説明するための回路図である。
【図１４】  同じく、大小逆転切換動作を説明するためのフローチャートである。
【符号の説明】
１０  電子キャッシュレジスタ（商品販売データ処理装置）
２０  パソコン
３０  マザーボード
４１  ＨＤＤ
４１Ｇ  画像データファイル
４１ＧＢ  動画像データ記憶用の記憶エリア
４１ＧＦ  静止画像データ記録用の記憶エリア
４１Ｓ  シーケンスファイル
４３  キーボード
５０  画像表示制御装置
５１  第１の表示制御回路（商品販売データ表示制御回路）
５２  ＶＧＡ回路（２出力制御回路）
５３  メモリ
５５  第２の表示制御回路
５６  ＭＰＥＧ画像処理回路
５７  メモリ（圧縮画像データ記憶手段）
５８  メモリ（伸長画像データ記憶手段）
５９  コンバータ
６０  表示器
６１  オペレータ用表示器
６２  タッチパネル
６５  客用表示器
６６  タッチパネル
６７  切換器（切換器）
６７Ａ  画像比率変更回路
６８  ダイジェスト作成器
６８Ａ  画像縮小化回路
６９  画像合成器
７０  音声出力手段
７１  スキャナ
７５  プリンタ
８０  ストアコントローラ
Ｓｄ  デジタル商品販売データ
Ｓａ  アナログ商品販売データ
Ｓｄｍ  伸長画像データ
Ｓａｐ  アナログ伸長画像データ
Ｓｃ  切換信号（外部信号）
Ｓｖ  音声信号
【図１】
0003930655.tif 000002
【図２】
0003930655.tif 000003
【図３】
0003930655.tif 000004
【図４】
0003930655.tif 000005
【図５】
0003930655.tif 000006
【図６】
0003930655.tif 000007
【図７】
0003930655.tif 000008
【図８】
0003930655.tif 000009
【図９】
0003930655.tif 000010
【図１０】
0003930655.tif 000011
【図１１】
0003930655.tif 000012
【図１２】
0003930655.tif 000013
【図１３】
0003930655.tif 000014
【図１４】
0003930655.tif 000015